(57)【特許請求の範囲】
【請求項１】
永久磁石をコイル内で往復移動させることで、前記コイルに電流が誘起し発電する振動発電機であって、
前記コイルが巻回された筒状部材と、
前記筒状部材の長手方向に沿って、前記筒状部材内を往復移動可能に設けられた第一永久磁石と、
前記長手方向の一端側の前記筒状部材内に固定されて設けられ、軟磁性体からなる磁性部材と、
前記磁性部材を挟んで前記第一永久磁石が設けられている側と反対側に設けられ、前記磁性部材側の端の極性と、前記第一永久磁石のうち前記磁性部材側の端の極性とが同極となるように配置された第二永久磁石と、
前記第二永久磁石を前記磁性部材に近接させることで前記軟磁性体を強く磁化した近接状態と、前記第二永久磁石を前記磁性部材から離間させることで前記軟磁性体への磁気的影響を弱くした離間状態とに切り替える切り替え手段と
を備えた振動発電機。
【請求項２】
前記第一永久磁石と前記磁性部材との間の距離が常に第一距離以上となるように、前記第一永久磁石と前記磁性部材との間に第一緩衝部材を設けたことを特徴とする請求項１に記載の振動発電機。
【請求項３】
前記磁性部材と前記第二永久磁石との間の距離が常に第二距離以上となるように、前記磁性部材と前記第二永久磁石との間に第二緩衝部材を設けたことを特徴とする請求項２に記載の振動発電機。
【請求項４】
前記第一距離は、前記第二距離よりも大きいことを特徴とする請求項３に記載の振動発電機。
【請求項５】
前記第一永久磁石の磁力は、前記第二永久磁石の磁力よりも大きいことを特徴とする請求項１から４のいずれかに記載の振動発電機。
【請求項６】
前記切り替え手段は、
前記筒状部材側に前記第二永久磁石をねじ込むことによって、前記第二永久磁石を前記近接状態に切り替え、前記筒状部材側への前記第二永久磁石のねじ込みを緩めることによって、前記第二永久磁石を前記離間状態に切り替えることを特徴とする請求項１から５のいずれかに記載の振動発電機。
【発明の詳細な説明】
【技術分野】
【０００１】
本発明は、振動によって発電する振動発電機に関する。
【背景技術】
【０００２】
従来、振動による運動エネルギーを電気エネルギーに変換する振動発電機が提案されている。このような振動発電機では、例えば、永久磁石がコイル内で振動することで、コイルに磁束の変化に伴う誘導電流が発生するようになっており、この発生した誘導電流を外部負荷に供給できる。このような振動発電機の一例として、特許文献１には、振動発電機の筐体の内、振動する方向の蓋部近傍に永久磁石と接触（または衝突）する衝撃を緩和する緩衝部材を取り付ける技術が開示されている。この場合の緩衝部材は、永久磁石が振動して筐体に接触（または衝突）した場合の衝撃を和らげ、筐体の破損を防止する。
【先行技術文献】
【特許文献】
【０００３】
【特許文献１】特開２００６−２９６１４４号公報
【発明の概要】
【発明が解決しようとする課題】
【０００４】
振動発電機は、ユーザによって使用されていない（未使用）状態であるにもかかわらず、永久磁石が内壁面に大きな力で衝突する場合が発生し得る。例えば、振動発電機が落下して他の物体に衝突した場合、振動発電機には衝突時に大きな衝撃が加わる。このような場合、通常の振動発電機の使用状態からは想定し得ない大きな力で永久磁石が内壁面に衝突する可能性がある。このような場合、特許文献１に記載された技術を用いても、永久磁石が内壁面に衝突する力までは緩衝部材が和らげきれず、筐体が破損する可能性があるという問題点がある。
【０００５】
本発明の目的は、簡単な構成で、未使用時に不測の衝撃などで生じる永久磁石の衝突によって筐体が破損してしまうことを防止できる振動発電機を提供することにある。
【課題を解決するための手段】
【０００６】
本発明に係る振動発電機は、永久磁石をコイル内で往復移動させることで、前記コイルに電流が誘起し発電する振動発電機であって、前記コイルが巻回された筒状部材と、前記筒状部材の長手方向に沿って、前記筒状部材内を往復移動可能に設けられた第一永久磁石と、前記長手方向の一端側の前記筒状部材内に固定されて設けられ、軟磁性体からなる磁性部材と、前記磁性部材を挟んで前記第一永久磁石が設けられている側と反対側に設けられ、前記磁性部材側の端の極性と、前記第一永久磁石のうち前記磁性部材側の端の極性とが同極となるように配置された第二永久磁石と、前記第二永久磁石を前記磁性部材に近接させることで前記軟磁性体を強く磁化した近接状態と、前記第二永久磁石を前記磁性部材から離間させることで前記軟磁性体への磁気的影響を弱くした離間状態とに切り替える切り替え手段とを備えている。
【０００７】
本発明の振動発電機では、第二永久磁石を離間状態に切り替えることで、第一永久磁石と磁性部材との間に引き合う向きの磁力を作用させることができる。これによって、第一永久磁石を往復移動不能にさせることができるので、未使用時に不意に大きな外力が振動発電機に加わった場合であっても、永久磁石が内壁面に大きな力で衝突することを防止できる。従って、永久磁石が内壁面に衝突することによって、振動発電機が破損することを防止できる。
【０００８】
一方、振動発電機は、第二永久磁石を近接状態に切り替えることで、第一永久磁石と磁性部材との間に反発する向きの磁力を作用させることができる。これによって、第一永久磁石は自由に往復移動することが可能な状態になるので、振動発電機を発電可能な状態にすることができる。
【０００９】
さらに振動発電機１は、第二永久磁石が近接状態である場合、第一永久磁石には磁性部材と反対側の方向に向かう力が加わることになる。この力は、第一永久磁石の振動運動を補助することになる。従ってユーザは、効率的に起電力を発生させることができる。
【００１０】
本発明において、前記第一永久磁石と前記磁性部材との間の距離が常に第一距離以上となるように、前記第一永久磁石と前記磁性部材との間に第一緩衝部材を設けてもよい。第一永久磁石と磁性部材との間の距離を常に第一距離以上とすることによって、第一永久磁石と磁性部材とが互いに引き合う方向に作用する磁気的な力を弱めることができる。従って、第二永久磁石を離間状態から近接状態に切り替える場合、第一永久磁石は磁性部材から容易に離間し、往復移動可能となる。このように振動発電機は、第一永久磁石が往復移動不能な状態から、第一永久磁石が往復移動可能な状態に容易に切り替えることができる。
【００１１】
本発明において、前記磁性部材と前記第二永久磁石との間の距離が常に第二距離以上となるように、前記磁性部材と前記第二永久磁石との間に第二緩衝部材を設けてもよい。第二永久磁石と磁性部材との間の距離を常に第二距離以上とすることによって、第二永久磁石と磁性部材とが互いに引き合う方向に作用する磁気的な力を弱めることができる。従って、第二永久磁石を近接状態から離間状態に切り替える場合、第二永久磁石は磁性部材から容易に離間する。これによって第一永久磁石は、磁性部材に吸着して往復移動不可能な状態になる。従ってユーザは、第一永久磁石が往復移動可能な状態から、第一永久磁石が往復移動不能な状態に容易に切り替えることができる。
【００１２】
本発明において、前記第一距離は、前記第二距離よりも大きくてもよい。第一永久磁石が磁性部材に吸着している状態で、第二永久磁石を離間状態から近接状態に切り替えた場合、第一距離は第二距離よりも大きいので、磁性部材は第二永久磁石によって磁化する。このため、第一永久磁石と磁性部材との間には、互いに反発する方向に磁気的な力が作用し、第一永久磁石は磁性部材から容易に離間する。このようにして振動発電機は、第一永久磁石が往復移動不能な状態から、第一永久磁石が往復移動可能な状態に確実に切り替えることができる。
【００１３】
本発明において、前記第一永久磁石の磁力は、前記第二永久磁石の磁力よりも大きくてもよい。第一永久磁石の磁力を強めることによって、第一永久磁石が往復移動した場合にコイルに誘起する電流を大きくすることができるので、振動発電機の発電効率を向上させることができる。
【００１４】
本発明において、前記切り替え手段は、前記筒状部材側に前記第二永久磁石をねじ込むことによって、前記第二永久磁石を前記近接状態に切り替え、前記筒状部材側への前記第二永久磁石のねじ込みを緩めることによって、前記第二永久磁石を前記離間状態に切り替えてもよい。これによって、切り替え手段の機構を簡単にすることができるので、振動発電機のコストを抑制することができる。また振動発電機は、近接状態と離間状態とを繰り返し何度も切り替えることができる。
【図面の簡単な説明】
【００１５】
【図１】振動発電機１の構成を示す図である。
【図２】第二永久磁石２６を近接状態とした振動発電機１の構成を示す図である。
【図３】第二永久磁石２６を離間状態とした振動発電機１の構成を示す図である。
【発明を実施するための形態】
【００１６】
以下、本発明の一実施形態における振動発電機１について、図面を参照して説明する。参照される図面は、本発明が採用しうる技術的特徴を説明するために用いられるものである。記載されている装置の構成は、それのみに限定する趣旨ではなく、単なる説明例である。
【００１７】
本発明の第一実施形態における振動発電機１について、図１〜図３を参照して説明する。図１における紙面左右方向を、振動発電機１の左右方向と定義する。振動発電機１は、筐体１７を備えている。筐体１７の形状は円筒形である。筐体１７の両端は開口している。筐体１７の左端の開口部分には、開口部分を覆う壁部１８が取り付けられている。筐体１７の右端の外周面に、螺子１７ａが設けられている。螺子１７ａに蓋部３１が取り付けられている。蓋部３１は、筐体１７の右端の開口部分を覆う。蓋部３１の詳細は後述する。筐体１７、壁部１８の材料として、樹脂（ポリカーボネート樹脂、アクリル樹脂）等の非磁性体材料が使用できる。
【００１８】
筐体１７、壁部１８、及び蓋部３１で囲まれた空間に、筒状部材１１が収容されている。筒状部材１１の形状は円筒形である。筒状部材１１と筐体１７とは、長手方向が同一方向となるように配置されている。筒状部材１１の内径は、筐体１７の内径の略半分である。筒状部材１１の長手方向の長さは、筐体１７よりも短い。筒状部材１１の両端は開口している。筒状部材１１の材料として、樹脂（アセタール樹脂、液晶ポリマー樹脂）等の非磁性体材料が使用できる。
【００１９】
なお、筐体１７及び筒状部材１１の形状は円筒形に限定されない。筐体１７及び筒状部材１１の形状は、例えば、楕円筒形状、四角筒等その他の多角筒形状であってもよい。筐体１７の材料は、非磁性体であれば、銅、アルミニウム、真鍮等の金属であってもよく、鉄やステンレス等の磁性体材料でも構わない。
【００２０】
筒状部材１１の内側に第一永久磁石１３が収容されている。第一永久磁石１３は、筒状部材１１内を長手方向に自在に移動可能に設けられている。第一永久磁石１３は、永久磁石１４、１５を備えている。永久磁石１４、１５の形状は円柱形である。永久磁石１４、１５の外径は、筒状部材１１の内径と比較して僅かに小さい。永久磁石１４、１５は、筒状部材１１と長手方向が同一方向となるように配置されている。永久磁石１４、１５は、其々長手方向に磁化されている。永久磁石１４の左側、及び永久磁石１５の右側は、Ｎ極に磁化されている。永久磁石１４の右側、及び永久磁石１５の左側は、Ｓ極に磁化されている。永久磁石１４の右端と、永久磁石１５の左端とは接触している。永久磁石１４，１５は、Ｓ極を対向させた状態で、長手方向に一直線上に並べて配置されている。永久磁石１４、１５は、図示外の締結部材によって締結されている。なお、永久磁石１４、１５の形状は円柱形に限定されないが、筒状部材１１内と同一の断面形状を有していることが望ましい。
【００２１】
筒状部材１１の左側の開口部分は、壁部１８と接触している。壁部１８は、筒状部材１１左側の開口部分を覆っている。壁部１８は、第一永久磁石１３の左方向の移動を規制する。筒状部材１１の右側の開口部分に、磁性部材２５が嵌っている。磁性部材２５の形状は円柱形状である。磁性部材２５の円柱形状の直径は、筒状部材１１の内径と略同一である。磁性部材２５は軟磁性体である。磁性部材２５は、第一永久磁石１３の右方向の移動を規制する。磁性部材２５として鉄を使用することができる。
【００２２】
第一永久磁石１３と磁性部材２５との間且つ磁性部材２５の左側に、第一緩衝部材２３が設けられている。第一緩衝部材２３は、第一永久磁石１３と磁性部材２５との間の距離が常に第一距離Ｘ（図３参照）以上離れるように、第一永久磁石１３の移動を規制するために設けられている。第一永久磁石１３が右側に移動して磁性部材２５に最も近接した状態で、第一永久磁石１３と磁性部材２５とは第一距離Ｘ分離れた状態になる。磁性部材２５の右側に、第二緩衝部材２４が設けられている。第二緩衝部材２４は、蓋部３１の第二永久磁石２６（後述）との間の距離が常に第二距離Ｙ（図２参照）以上離れるように、蓋部３１の移動を規制するために設けられている。第一緩衝部材２３及び第二緩衝部材２４は、第一距離Ｘの方が第二距離Ｙよりも大きくなるように、材質や、長手方向の長さが調整されている。第一緩衝部材２３及び第二緩衝部材２４として、例えばニトリルゴムやシリコンゴムを使用することができる。
【００２３】
なお、第一緩衝部材２３は、第一永久磁石１３が磁性部材２５に衝突した場合の衝撃を和らげることが可能なように、材質が選択されてもよい。筒状部材１１の左側の開口部分に、第一永久磁石１３が壁部１８に衝突した場合の衝撃を和らげる緩衝部材を設けても良い。
【００２４】
筒状部材１１の外周面にコイル２１、２２が巻回されている。コイル２１、２２は、筒状部材１１の長手方向略中央部分に、筒状部材１１の長手方向と直交する方向に巻回されている。コイル２１、２２の其々が筒状部材１１に巻回されている部分の長手方向の長さは、永久磁石１４、１５の長手方向の長さと等しい。コイル２１、２２は、逆方向に巻回されている。コイル２１、２２の材料として、銅が使用できる。なお、コイル２１、２２は、筒状部材１１の全周にわたって巻回されていてもよい。
【００２５】
蓋部３１について説明する。蓋部３１は、被覆部３２及び第二永久磁石２６を備えている。被覆部３２は、第一被覆部３２ａ及び第二被覆部３２ｂを備えている。第一被覆部３２ａは、円形板状の部材である。第一被覆部３２ａの直径は、筐体１７の内径よりも僅かに大きい。第一被覆部３２ａは、筐体１７の右端の開口部分を覆っている。第一被覆部３２ａの円形中心且つ左面に、第二永久磁石２６が設けられている。第二永久磁石２６の形状は円柱形である。第二永久磁石２６は、第一被覆部３２ａから左方に延びている。第二永久磁石２６の左方に、筒状部材１１の右端の開口部分に嵌った状態の磁性部材２５が位置している。磁性部材２５と第二永久磁石２６との間に、第二緩衝部材２４が配置している。第二永久磁石２６の内径は、筒状部材１１の外径と略同一である。第二永久磁石２６は、左側がＮ極に磁化され、右側がＳ極に磁化されている。
【００２６】
第二被覆部３２ｂは、第一被覆部３２ａの周回部分から左方向に延びる板状の部材である。第二被覆部３２ｂは、筐体１７の右端を外側から覆っている。第二被覆部３２ｂの内周面に、螺子３２ｃが設けられている。筐体１７の螺子１７ａに螺子３２ｃがねじ込まれることによって、蓋部３１は筐体１７に固定される。
【００２７】
ユーザは、筐体１７に対する蓋部３１のねじ込み量を調整することによって、磁性部材２５と第二永久磁石２６との間の距離を調節することができる。ユーザは、蓋部３１を筐体１７に対して強くねじ込むことによって、第二永久磁石２６と磁性部材２５との間の距離を第二距離Ｙ（図２参照）まで近接させることができる。一方、ユーザは、筐体１７に対して蓋部３１を緩めることによって、第二永久磁石２６と磁性部材２５の間の距離を離間させることができる（図３参照）。以下、第二永久磁石２６が磁性部材２５に近接した状態を、近接状態ともいう。第二永久磁石２６が磁性部材２５から離間した状態を、離間状態ともいう。
【００２８】
図２は、第二永久磁石２６を近接状態とした場合の振動発電機１を示している。第二永久磁石２６と磁性部材２５との間の距離は第二距離Ｙまで近接しているため、第二永久磁石２６が磁性部材２５に与える磁気的影響は強い。このため磁性部材２５は、第二永久磁石２６によって強く磁化する。具体的には、磁性部材２５のうち第二永久磁石２６と近接する側と反対側、即ち第一永久磁石１３と近接する側がＮ極に磁化する。第一永久磁石１３のうち磁性部材２５と近接する側はＮ極であるため、双方には反発する方向に磁気的な力が作用する。第一永久磁石１３は磁性部材２５に吸着しない。第一永久磁石１３は筒状部材１１内を長手方向に自由に移動することが可能な状態になり、振動発電機１は発電可能な状態になる。
【００２９】
振動発電機１の発電動作について、図２を参照しつつ説明する。ユーザは、蓋部３１を筐体１７に対して強くねじ込むことによって、第二永久磁石２６を近接状態とする。ユーザは、筐体１７が長手方向に振動するように、振動発電機１を振動させる。運動エネルギーが、筐体１７に加えられる。第一永久磁石１３と筒状部材１１との摩擦力、及び、第一永久磁石１３の磁極が磁性部材２５の磁極から受ける反発力、第一永久磁石１３と壁部１８が衝突する力などを介して、運動エネルギーが第一永久磁石１３に伝達する。第一永久磁石１３は、筒状部材１１内を長手方向に往復移動する。第一永久磁石１３は、コイル２１、２２に覆われた空間を出入りする。コイル２１、２２内の空間を通過する際、第一永久磁石１３の永久磁石１４、１５が発する磁束が、コイル２１、２２を直交する。これによって、コイル２１、２２に誘導電流が発生する。第一永久磁石１３がコイル２１、２２内の空間への出入りを繰り返すことで、コイル２１、２２に交流電流が発生する。
【００３０】
コイル２１、２２に発生した交流電流は、コイル２１、２２の其々の両端に接続された配線を介して、図示外の整流部に伝達する。整流部では、交流電流の全波整流が行われ、図示外の蓄電部によって蓄電される。蓄電された電流は、図示外の電極を介して外部に出力される。外部に出力された電流は、外部装置の負荷に供給される。外部装置は、供給された電流によって駆動する。
【００３１】
図３は、第二永久磁石２６を離間状態とした場合の振動発電機１を示している。第二永久磁石２６と磁性部材２５との間の距離は離間しているため、第二永久磁石２６が磁性部材２５に与える磁気的影響は弱い。一方、第一永久磁石１３は筒状部材１１内を長手方向に自由に移動することが可能であるため、第一永久磁石１３は右方に移動して磁性部材２５に近接する。第二永久磁石２６が磁性部材２５に与える磁気的影響は弱いので、磁性部材２５は第一永久磁石１３によって容易に磁化する。具体的には、磁性部材２５のうち第一永久磁石１３と近接する側と反対側、即ち第二永久磁石２６と近接する側がＮ極に磁化する。これによって第一永久磁石１３は、磁性部材２５との間に第一緩衝部材２３を挟んだ状態で、磁性部材２５に吸着する。第一永久磁石１３は長手方向に自由に移動できなくなる。
【００３２】
例えばユーザは、振動発電機１による発電を行わない状態では、筐体１７に対して蓋部３１を緩めておくことによって、第二永久磁石２６を離間状態とする。第一永久磁石１３は、第一緩衝部材２３を挟んで磁性部材２５に吸着し、長手方向に自由に移動しない。このようにして振動発電機１は、発電を行わない状態で第一永久磁石１３が不意に移動することを防止できる。
【００３３】
例えば、ユーザが第二永久磁石２６を離間状態から近接状態に切り替えることによって、振動発電機１による発電を再開する場合を仮定する。図３に示す離間状態から、ユーザが蓋部３１を筐体１７に対して強くねじ込むことによって、図２に示すように近接状態に切り替えたとする。離間状態では、第一永久磁石１３と磁性部材２５との間の距離は第一距離Ｘ（図３参照）であり、近接状態とすることによって、第二永久磁石２６と磁性部材２５との間の距離は第二距離Ｙ（図２参照）になる。ここで、第一距離Ｘは第二距離Ｙよりも大きい。このため、第二永久磁石２６と磁性部材２５との間の距離が第二距離Ｙとなった場合、第二永久磁石２６が磁性部材２５に対して及ぼす磁気的影響の方が、第一永久磁石１３が磁性部材２５に対して及ぼす磁気的影響よりも大きくなる。結果、磁性部材２５は、第二永久磁石２６によって強く磁化される。図２に示すように、磁性部材２５のうち第一永久磁石１３に近接する側がＮ極に磁化する。第一永久磁石１３と磁性部材２５との間には、反発する方向に磁気的な力が作用し、第一永久磁石１３は磁性部材２５から離れる。これによって、第一永久磁石１３は筒状部材１１内を長手方向に自由に移動することが可能になる。ユーザは、振動発電機１による発電を行うことが可能になる。
【００３４】
また例えば、ユーザが第二永久磁石２６を近接状態から離間状態に切り替えることによって、振動発電機１による発電を終了する場合を仮定する。図２に示す近接状態から、ユーザが蓋部３１を緩め、第二永久磁石２６を磁性部材２５から離間させようとしたとする。ここで、第二永久磁石２６と磁性部材２５との間には、第二緩衝部材２４が挟まれており、第二永久磁石２６と磁性部材２５との間は第二距離Ｙとなっている。第二永久磁石２６と磁性部材２５との間で互いに引き合う方向に作用する磁気的な力は、第二緩衝部材２４によって弱められている。このためユーザは、磁性部材２５と第二永久磁石２６とが直接吸着している場合と比較して、弱い力で容易に蓋部３１を緩め、磁性部材２５から第二永久磁石２６を離間させることができる。
【００３５】
以上説明したように、振動発電機１は、第二永久磁石２６を離間状態（図３参照）に切り替えることで、第一永久磁石１３と磁性部材２５との間に引き合う向きの磁力を作用させることができる。これによって、第一永久磁石１３を往復移動不能にさせることができるので、振動発電機１の未使用時に不意に大きな外力が振動発電機１に加わった場合であっても、第一永久磁石１３が壁部１８に大きな力で衝突することを防止できる。従って、第一永久磁石１３が壁部１８に衝突することによって振動発電機１が破損することを防止できる。一方、振動発電機１は、第二永久磁石２６を近接状態（図２参照）に切り替えることで、第一永久磁石１３と磁性部材２５との間に反発する向きの磁力を作用させることができる。これによって、第一永久磁石１３は往復移動可能な状態になるので、ユーザは第一永久磁石１３を振動させることが可能となる。これによってユーザは、振動発電機１を振動させて発電させることが可能となる。
【００３６】
ユーザは、蓋部３１を筐体１７に対して強くねじ込んだり緩めたりすることによって、第二永久磁石２６を近接状態（図２参照）と離間状態（図３参照）とに切り替えることができるので、従ってユーザは、振動発電機１を使用状態と未使用状態とに容易に切り替えることができる。さらに振動発電機１は、近接状態と離間状態とを簡単な機構で切り替えることができるので、振動発電機１のコストを抑制することができる。さらに振動発電機１は、第二永久磁石２６を近接状態と離間状態とに繰り返し何度も切り替えることができる。さらにユーザは、簡単な操作で、振動発電機１の状態を切り替えることができる。
【００３７】
第二永久磁石２６が近接状態である場合、第一永久磁石１３と磁性部材２５との間には、互いに反発する方向に磁気的な力が作用する。この力は、第一永久磁石１３の振動運動を補助することになる。従ってユーザは、効率的に起電力を発生させることができる。
【００３８】
なお本発明は、上述の実施形態に限定されるものではなく、種々の変更が可能である。上述では、第一永久磁石１３は、永久磁石１４、１５を備えた、いわゆる同極対向磁石であったが、第一永久磁石１３は同極対向磁石でなくてもよい。一対の有する一の永久磁石のみからなる構成であってもよい。上述では、コイル２１、２２が筒状部材１１に巻回されていたが、コイルの数は一つであってもよいし、三つ以上であってもよい。上述では、近接状態と離間状態とを切り替える蓋部３１を設けていた。蓋部３１は、筒状部材１１に対して強くねじ込んだり緩めたりすることによって、第二永久磁石２６と磁性部材２５との間の距離を調整していた。近接状態と離間状態とを切り替える方法は、この方法に限定されない。例えば、第二永久磁石２６につまみを設け、つまみをスライドさせることによって、第二永久磁石２６の位置を調整できるようにしてもよい。
【００３９】
第一永久磁石１３の磁力が、第二永久磁石２６の磁力よりも強くなるように調整してもよい。これによって、第一永久磁石１３が往復移動した場合にコイル２１、２２に誘起する電流を大きくすることができるので、振動発電機１の発電効率を向上させることができる。
【００４０】
上述では、筐体１７の一端側にのみ蓋部３１を設け、筒状部材１１の一端側にのみ磁性部材２５を設けていた。蓋部３１は筐体１７の両端に設けられてもよい。磁性部材２５は、筒状部材１１の両端に設けられてもよい。永久磁石１３を磁性部材２５側に付勢する引きバネを、第一永久磁石１３と磁性部材２５との間に設けても良い。又は、永久磁石１３を磁性部材２５側に付勢する押しバネを、壁部１８と第一永久磁石１３との間に設けてもよい。これによって、第二永久磁石２６を離間状態とした場合、第一永久磁石１３をバネによって磁性部材２５側に移動させ、磁性部材２５に確実に吸着させることができる。
【符号の説明】
【００４１】
１      振動発電機
１１    筒状部材
１３    第一永久磁石
１７    筐体
１７ａ  螺子
２１、２２  コイル
２３    第一緩衝部材
２４    第二緩衝部材
２５    磁性部材
２６    第二永久磁石
３１    蓋部
３２    被覆部
３２ａ  第一被覆部
３２ｂ  第二被覆部
３２ｃ  螺子
【図１】
0005782900.tif 000002
【図２】
0005782900.tif 000003
【図３】
0005782900.tif 000004